(57)【要約】【課題】電子装置に対して容易に着脱可能であり、且つ電子装置の全面を効果的に保護できる電子装置用保護ケースを提供すること。【解決手段】本発明に係る電子装置用保護ケースは、電子装置を収容するための収容空間が設けられた本体部を備える。前記本体部には、スライドレール或いはスライド部が設けられ、前記電子装置用保護ケースは、２つのスライドカバーをさらに備え、各スライドカバーには、前記本体部のスライドレール或いはスライド部と組み合せられるスライド部或いはスライドレールが設けられ、２つの前記スライドカバーは、互いに近づく或いは離れるように、前記本体部に対してスライド可能に装着され、また、２つの前記スライドカバーは、互いにドッキングして、前記電子装置を前記本体部の前記収容空間内に留める。【選択図】図１
2014087059.tif 000002
【特許請求の範囲】
【請求項１】
電子装置を収容するための収容空間が設けられた本体部を備える電子装置用保護ケースであって、
前記本体部には、スライドレール或いはスライド部が設けられ、前記電子装置用保護ケースは、２つのスライドカバーをさらに備え、各スライドカバーには、前記本体部のスライドレール或いはスライド部と組み合せられるスライド部或いはスライドレールが設けられ、２つの前記スライドカバーは、互いに近づく或いは離れるように、前記本体部に対してスライド可能に装着され、また、２つの前記スライドカバーは、互いにドッキングして、前記電子装置を前記本体部の前記収容空間内に留めることを特徴とする電子装置用保護ケース。
【請求項２】
前記本体部は、底板と、前記底板に対して略垂直に連接され、且つ前記底板の周縁を囲むように形成される周壁と、をさらに備え、前記底板と前記周壁とは、組み合わされて前記収容空間を形成し、２つの前記スライドレールは、前記本体部の長手方向に沿う前記周壁の外面から前記周壁の厚さ方向に沿って凹んで形成していることを特徴とする請求項１に記載の電子装置用保護ケース。
【請求項３】
各スライドカバーは、板体と、前記板体の左右両辺に連接される側壁と、２つの前記側壁に連接する端壁と、を備え、前記スライド部は、各側壁の自由端が前記板体の中央部へ折り曲げられて、前記板体に対して略平行に延在することによって形成され、前記スライド部と前記板体の内面との間には、凹部が形成され、前記板体の前記端壁の反対側の一端には、枠が設けられることを特徴とする請求項２に記載の電子装置用保護ケース。
【請求項４】
前記本体部における前記底板の短手方向に沿う周壁の縁には、係止部がそれぞれ形成され、２つの前記スライドカバーが前記本体部に装着された後に、２つの前記スライドカバーの前記スライド部は前記本体部の２つの前記スライドレール内にそれぞれ挿入され、各スライドレールを形成する一方側の側壁は、各スライドカバーの両側に形成された凹部内に収容され、各スライドカバーの前記端壁は、前記本体部の前記係止部に当止され、２つの前記スライドカバーの枠は、互いにドッキングすることを特徴とする請求項３に記載の電子装置用保護ケース。
【請求項５】
前記周壁には、電子装置の側面の機能ボタンを収容して保護するための押しボタン保護膜が形成され、前記押しボタン保護膜の形状は、前記機能ボタンの形状に合致し、前記押しボタン保護膜は、プラスチック材料を採用して、ダブル射出成形法により前記周壁と一体に成形されることを特徴とする請求項２に記載の電子装置用保護ケース。
【請求項６】
電子装置の表示パネル側に設けられる緩衝マットと、電子装置の背面側に設けられる保護マットと、をさらに備え、前記緩衝マット及び前記保護マットは、電子装置を挟持するように前記本体部の前記収容空間内に収容されることを特徴とする請求項１に記載の電子装置用保護ケース。
【請求項７】
前記保護マットは、弾性樹脂材料からなり、前記保護マットの周縁には、前記本体部の周壁の内面と当接する側面が形成され、前記保護マットの中央部には、補強板がさらに装着され、前記補強板は、プラスチック材料或いは金属材料からなることを特徴とする請求項６に記載の電子装置用保護ケース。
【請求項８】
前記本体部には、ウィンドウ部が設けられ、前記緩衝マットは、発泡綿或いはゴムからなり、且つ前記本体部の内面におけるウィンドウ部の周囲に貼着されることを特徴とする請求項６に記載の電子装置用保護ケース。
【請求項９】
前記周壁の外面における４つの角部位には、ダブル射出成形法により前記周壁に成形された防護用リブをさらに備えることを特徴とする請求項２に記載の電子装置用保護ケース。
【請求項１０】
前記周壁の外面における各スライドレールの隣には、位置決め突起がそれぞれ設けられ、各スライドカバーの側壁における前記枠に近い一端には、前記位置決め突起と係合するための位置決め溝が凹設されていることを特徴とする請求項３に記載の電子装置用保護ケース。
【発明の詳細な説明】
【技術分野】
【０００１】
本発明は、電子装置用保護ケースに関するものである。
【背景技術】
【０００２】
現在、電子装置のハウジングが摩擦される或いは衝撃によって損傷することを防止するために、通常、電子装置を専用の保護袋に収容する或いは保護ケース内に装着して保護する。
【０００３】
近年、様々な電子装置用の保護ケースが市場に出ている。例えば、携帯電話機を収容するための布製の袋がある。しかしながら、袋に入った携帯電話を使用する時は、携帯電話機を袋の中から取り出し、また、使用後は携帯電話機を袋の中に再度収容するため、頻繁に携帯電話機を出し入れしなければならず煩わしい。
【０００４】
また、他の種類の保護ケースとしては、底板が付いた携帯電話機の保護ケースがある。この保護ケースは、携帯電話機を保護ケースに装着する時に、外力を加えて携帯電話機を前記保護ケースの収容空間に対応して押して、前記保護ケースを変形させた後、携帯電話機を前記保護ケースの収容空間内に装着する。このような装着方法は、面倒で、且つ力を必要とする。また、前記保護ケースを使用した電子装置は、その側面に設けられた機能ボタンが外部に露出するため、良好な防塵／防水効果が得られない。さらに、従来の保護ケースは、一般的に硬質のプラスチック材料からなる半開口の筐体であるから、電子装置は落としたり、衝突されたり、水にぬれたりすると、外力により損傷されるまたは内部に塵及び水が入るなどの問題が発生し易い。つまり、従来の保護ケースの保護効果は不十分である。
【発明の概要】
【発明が解決しようとする課題】
【０００５】
そこで、本発明は上記の問題点を考慮した上で、電子装置に対して容易に着脱可能であり、且つ電子装置の全面を効果的に保護できる電子装置用保護ケースを提供することを目的とする。
【課題を解決するための手段】
【０００６】
上記の目的を達成するために、本発明に係る電子装置用保護ケースは、電子装置を収容するための収容空間が設けられた本体部を備える。前記本体部には、スライドレール或いはスライド部が設けられ、前記電子装置用保護ケースは、２つのスライドカバーをさらに備え、各スライドカバーには、前記本体部のスライドレール或いはスライド部と組み合せられるスライド部或いはスライドレールが設けられ、２つの前記スライドカバーは、互いに近づく或いは離れるように、前記本体部に対してスライド可能に装着され、また、２つの前記スライドカバーは、互いにドッキングして、前記電子装置を前記本体部の前記収容空間内に留められる。
【発明の効果】
【０００７】
従来の技術と異なり、本発明の電子装置用保護ケースは、本体部及び２つのスライドカバーを備える。前記２つのスライドカバーは、前記本体部にスライド可能に装着される。２つの前記スライドカバーを互いに近づく或いは離れるようにスライドさせることで、該２つの前記スライドカバーを電子装置が収容された前記本体部に着脱させる。また、２つの前記スライドカバーは、電子装置用保護ケースの本体部と組み合わせて、電子装置を前記本体部の収容空間内に留める。従って、本発明の電子装置用保護ケースは、電子装置の着脱操作が容易である。また、本発明の電子装置用保護ケースの周壁には、電子装置の側面の機能ボタンの形状にマッチングする押しボタン保護膜が設けられているので、前記機能ボタンは水分及び塵から保護される。さらに、本発明の電子装置用保護ケースのウィンドウ部と電子装置の表示パネルとの間には緩衝マットが設けられていると共に、電子装置の背面に対して、補強板を内蔵した保護マットが装着されている。上記の構成によって、本発明の電子装置用保護ケースは、電子装置を全面的に保護して、電子装置の正面及び背面が受けた衝撃力を緩衝し、水分及び塵等が電子装置に接触することを防止し、電子装置の側面の押しボタンも効果的に保護することができる。
【図面の簡単な説明】
【０００８】
【図１】本発明の電子装置用保護ケースが、電子装置から取り外された際の分解図である。
【図２】図１に表わす電子装置用保護ケースを別の視点から見た分解図である。
【図３】図１に表わす電子装置用保護ケースと電子装置との組立図である。
【図４】図３に表わす電子装置が装入された電子装置用保護ケースを背面側から見た図である。
【図５】図３に表わす電子装置用保護ケースのＶ−Ｖ線に沿った断面図である。
【図６】図４に表わす電子装置が装入された電子装置用保護ケースのＶＩ−ＶＩ線に沿った断面図である。
【発明を実施するための形態】
【０００９】
本願発明の電子装置用保護ケースは、携帯電話機、タブレットパソコン等の電子装置に適用される。以下、図面に基づいて、本発明の実施形態に係る電子装置用保護ケースについて詳細に説明する。
【００１０】
図１に示すように、本発明の電子装置用保護ケース１００は、電子装置２００に装着されて使用される。電子装置２００の正面には、表示パネル２１０が設けられている。電子装置２００の側面には、パワーキー、ボリュームキー及びショートカットキー等の機能ボタン（図示せず）が設けられている。
【００１１】
図２及び図３を合わせて参照すると、電子装置用保護ケース１００は、本体部１０と、緩衝マット２０と、保護マット３０と、２つのスライドカバー４０と、を備える。本体部１０はプラスチック材料からなり、且つ底板１１と、周壁１２と、２つのスライドレール１５と、を備える。底板１１には、表示パネル２１０を露出させるためのウィンドウ部１１１が設けられている。周壁１２は、底板１１に対して略垂直に連接されて、底板１１の周縁を囲むように形成される。これにより、電子装置２００を収容するための収容空間が形成される。
【００１２】
また、周壁１２には、複数の押しボタン保護膜１３が形成されている。これらの押しボタン保護膜１３の形状は、電子装置２００の対応する機能ボタンの形状に合致している。また、これらの押しボタン保護膜１３は、プラスチック材料を採用し、ダブル射出成形により本体部１０の周壁１２と一体成形されて、防水及び防塵の役割を果たす。本実施形態において、上記の押しボタン保護膜１３は、熱可塑性ポリウレタン（ＴＰＵ）材料からなる。また、周壁１２の外面における４つの角部の位置には、防護用リブ１４がそれぞれ設けられている。防護用リブ１４は、ゴム等の軟質材料を採用して、二次射出成形によって周壁１２と一体に成形されて、本体部１０が落下した際等に本体部１０が受ける衝撃力を緩衝するために用いられる。さらに、周壁１２の一端には、電子装置２００のマイク或いはオーディオインターフェースに対応する開口１６と、ＵＳＢ接続ポートに対応する保護蓋１７と、がそれぞれ設けられている。開口１６には、ＴＰＵ材料からなる防護網（図示せず）が被覆されている。保護蓋１７と前記防護網は、外部の異物等が本体部１０の内部に入ることを防止する。
【００１３】
２つのスライドレール１５は、底板１１の長手方向に沿う周壁１２の外面にそれぞれ設けられている。各スライドレール１５は、細長い形状の凹溝であり、且つ周壁１２の外面から周壁１２の厚さ方向に沿って凹んで形成されている。また、底板１１の短手方向に沿う周壁１２の縁には、係止部１２２がそれぞれ形成されている。係止部１２２の両端は、２つのスライドレール１５にそれぞれ連接されている。周壁１２の各スライドレール１５に隣接する箇所には、位置決め突起１２４がさらに設けられている。
【００１４】
緩衝マット２０は、発泡綿或いはゴムからなり、接着等の方法により本体部１０の内面におけるウィンドウ部１１１の周囲に装着されて、電子装置２００の表示パネル２１０が受ける外力を緩衝するために用いられる。また、電子装置２００が本体部１０に装入された後、緩衝マット２０は、本体部１０の底板１１と電子装置２００の正面との間の隙間をシールして、防水及び防塵の目的を実現することができる。
【００１５】
保護マット３０は矩形の薄板であり、ＴＰＵ等の弾性樹脂材料からなる。保護マット３０の周縁には、側面３１が形成されている。保護マット３０の中央部には、硬度がより高い補強板３２が装着されている。補強板３２は、二次射出成形によって保護マット３０と一体に成形されるプラスチック部品であるか、または鋼板からなり、インサートモールド法により保護マット３０に成形される。
【００１６】
２つのスライドカバー４０の構造はほぼ同じである。各スライドカバー４０は、板体４１と、板体４１の左右両辺に板体４１に対して略垂直に連接される側壁４２と、２つの側壁４２に連接する端壁４３と、を備える。２つの側壁４２の自由端が折り曲げられて、互いに向かい合って板体４１に対して略平行に延在することで、スライド部４４が形成される（図６を参照）。スライド部４４と板体４１の内面との間には、凹部４５（図２を参照）が形成される。各板体４１における端壁４３の反対側の一端には、ゴム材質の枠４１１（図４を参照）が設けられている。２つの側壁４２の枠４１１に近い一端には、位置決め突起１２４と組み合せられる位置決め溝４２１（図１を参照）がそれぞれ凹設されている。２つのスライドカバー４０の異なる点は、各スライドカバー４０が被覆する電子装置の部位に基づいて、各スライドカバー４０に対してカメラを露出させるための開口或いはデータラインを挿入接続するための開口等の異なる開口が設けられることである。
【００１７】
図４及び図５に示すように、本発明の電子装置用保護ケース１００を使用する場合、先ず、電子装置２００を本体部１０の収容空間に対応させて装入する。これにより、電子装置２００の表示パネル２１０が設けられた面は、緩衝マット２０と互いに接触する。この時、表示パネル２１０は、ウィンドウ部１１１から露出する。周壁１２は、電子装置２００の周壁を囲むように保護する。押しボタン保護膜１３は、電子装置２００の側面の各機能ボタンに対応し、且つ各機能ボタンを収容して保護する。
【００１８】
次に、保護マット３０を、電子装置２００の表示パネル２１０の反対側の面（電子装置２００の背面）に被覆させるように本体部１０内に装着する。これにより、保護マット３０の側面３１は、本体部１０の側面１２の内面に弾性的に当接されて、水分及び塵等が電子装置２００に接触することを防止する。また、補強板３２は、電子装置２００の背面の外力に抵抗する強度をさらに増強することができる。
【００１９】
最後に、２つのスライドカバー４０の端壁４３と本体部１０係止部１２２が設けられた両端とを位置合わせした後、各スライドカバー４０のスライド部４４を本体部１０のスライドレール１５内に挿入した後、２つの枠４１１が互いにドッキングするまで、２つのスライドカバー４０を互いに近づくようにスライドさせる。これによって、スライドカバー４０の端壁４３は、本体部１０の係止部１２２に当止される。各スライドレール１５を形成する一方側の側壁１５１は、各スライドカバー４０の両側に形成された凹部４５に対応して収容される（図６を参照）。２つのスライドカバー４０は、本体部１０にスライド可能に装着されて、本体部１０の背面を閉鎖する保護蓋を形成する。２つのスライドカバー４０が互いに当接された後、周壁１２の端縁の位置決め突起１２４が位置決め溝４２１内に係合されることによって、２つのスライドカバー４０は本体部１０にロックされ、本体部１０から離脱することはない。
【００２０】
また、電子装置を本体部１０から取り外す場合、２つのスライドカバー４０を互いに離れるようにスライドさせて、該２つのスライドカバー４０を本体部１０の両側のスライドレール１５からそれぞれ脱出させれば良い。
【００２１】
また、変形例として、スライドレール１５をスライドカバー４０に設けて、スライド部４５を本体部１０に設けても良い。
【００２２】
本発明の電子装置用保護ケースは、本体部及び２つのスライドカバーを備える。前記２つのスライドカバーは、前記本体部にスライド可能に装着される。２つの前記スライドカバーを互いに近づく或いは離れるようにスライドさせることで、該２つの前記スライドカバーを電子装置が収容された前記本体部に着脱させる。また、２つの前記スライドカバーは、電子装置用保護ケースの本体部と組み合わせて、電子装置を前記本体部の収容空間内に留める。従って、本発明の電子装置用保護ケースは、電子装置の着脱操作が容易である。また、本発明の電子装置用保護ケースの周壁には、電子装置の側面の機能ボタンの形状にマッチングする押しボタン保護膜が設けられているので、前記機能ボタンは水分及び塵から保護される。さらに、本発明の電子装置用保護ケースのウィンドウ部と電子装置の表示パネルとの間には緩衝マットが設けられていると共に、電子装置の背面に対して、補強板を内蔵した保護マットが装着されている。上記の構成によって、本発明の電子装置用保護ケースは、電子装置を全面的に保護して、電子装置の正面及び背面が受けた衝撃力を緩衝し、水分及び塵等が電子装置に接触することを防止し、電子装置の側面の押しボタンも効果的に保護することができる。
【００２３】
その他、本発明の電子装置用保護ケース１００は、その主体部１０に着脱可能に装着されるカバー体３０を備えるので、異なる色及び／或いは模様のカバー体３０を取り換えることで、電子装置の外観を変えることができる。
【００２４】
以上、本発明の好適な実施形態について詳細に説明したが、本発明は前記実施形態に限定されるものではなく、本発明の範囲内で種々の変形又は修正が可能であり、該変形又は修正も又、本発明の特許登録請求の範囲内に含まれるものであることは、言うまでもない。
【符号の説明】
【００２５】
１０      本体部
１１      底板
１２      周壁
１３      押しボタン保護膜
１４      防護用リブ
１５      スライドレール
１６      開口
１７      保護蓋
２０      緩衝マット
３０      保護マット
３１      側面
３２      補強板
４０      スライドカバー
４１      板体
４２      側壁
４３      端壁
４４      スライド部
４５      凹部
１００    電子装置用保護ケース
１１１    ウィンドウ部
１２２    係止部
１２４    位置決め突起
１５１    側壁
２００    電子装置
２１０    表示パネル
４１１    枠
４２１    位置決め溝
【図１】
2014087059.tif 000003
【図２】
2014087059.tif 000004
【図３】
2014087059.tif 000005
【図４】
2014087059.tif 000006
【図５】
2014087059.tif 000007
【図６】
2014087059.tif 000008